(57)【特許請求の範囲】
【請求項１】
棒状体から成り矩形状に折曲した基枠部と、棒状体から成り前記基枠部の第１の短辺部である第１の軸杆部に回動自在に連結し矩形状に折曲した底枠部と、前記基枠部の第２の短辺部である第２の軸杆部に回動自在に連結した物干部とから成る物干し具であって、
前記物干部は、前記第２の軸杆部に連結する一対の係合杆部と、これらの係合杆部に固定したアーム取付板と、該アーム取付板の両側部に設けた低段部上に回動自在に軸止した回動アーム部とから成ることを特徴とする物干し具。
【請求項２】
前記アーム取付板の中央に固定アーム部を取り付け、該固定アーム部の両側に前記回動アーム部を配置したことを特徴とする請求項１に記載の物干し具。
【請求項３】
前記回動アーム部は、平面状であって一角を斜め方向に切り欠いた切欠部を有する回動板部を有することを特徴とする請求項１又は２に記載の物干し具。
【請求項４】
前記切欠部を前記低段部の段差壁部の近傍に配置し、前記回動アーム部の外側方向への回動時に、前記切欠部の切欠辺が前記段差壁部に当接することで、前記回動アーム部の外側方向への回動を規制することを特徴とする請求項３に記載の物干し具。
【請求項５】
前記回動アーム部、前記固定アーム部は、棒状体をＵ字状に曲折したことを特徴とする請求項２〜４の何れか１つの請求項に記載の物干し具。
【請求項６】
前記回動アーム部、前記固定アーム部の先端部を稍々上方に曲折したアーム部を備えることを特徴とする請求項２〜５の何れか１つの請求項に記載の物干し具。
【発明の詳細な説明】
【技術分野】
【０００１】
本発明は、折り畳み式であって、台所等において布巾等を乾かす物干し具に関するものである。
【背景技術】
【０００２】
特許文献１には、布巾やタオルを乾かす物干し具が開示されている。この物干し具は折り畳み式であり、組立時に平行する複数の棒状体から成るアーム部のそれぞれに布巾やタオルを引っ掛けて乾かす。この物干し具は収納時には、平面状に折り畳むことが可能であり、使用に応じて組立てることができる。
【先行技術文献】
【特許文献】
【０００３】
【特許文献１】意匠登録第１４５０３６４号
【発明の概要】
【発明が解決しようとする課題】
【０００４】
特許文献１に開示されている従来の物干し具において、布巾を掛けるアーム部間は狭く、１つのアーム部に布巾を掛けた後に、このアーム部に隣接するアーム部に別の布巾を掛ける場合に、先に掛けた布巾が邪魔となり、布巾を拡げた状態にして掛けるのに手間を要するという問題がある。
【０００５】
また、アーム部間が狭いため風通りが悪く、平行に掛けた布巾がなかなか乾燥しないという問題もある。逆にアーム部間の間隔を拡げると、物干し具の横幅が大きくなり不使用時に嵩張るという課題もある。
【０００６】
本発明の目的は、上述の問題点を解消し、両端のアーム部を回動自在としてアーム部間を拡開できる物干し具を提供することにある。
【課題を解決するための手段】
【０００７】
上記目的を達成するための本発明に係る物干し具は、棒状体から成り矩形状に折曲した基枠部と、棒状体から成り前記基枠部の第１の短辺部である第１の軸杆部に回動自在に連結し矩形状に折曲した底枠部と、前記基枠部の第２の短辺部である第２の軸杆部に回動自在に連結した物干部とから成る物干し具であって、  前記物干部は、前記第２の軸杆部に連結する一対の係合杆部と、これらの係合杆部に固定したアーム取付板と、該アーム取付板の両側部に設けた低段部上に回動自在に軸止した回動アーム部とから成ることを特徴とする
【発明の効果】
【０００８】
本発明に係る物干し具によれば、使用時にアーム部間の間隙を拡開できるので、乾燥のために例えば布巾等を容易に掛けることができると同時に、風通しも良くなり、乾燥し易くなる。また、不使用時にアーム部間の幅を狭めれば収納性も良くなる。
【図面の簡単な説明】
【０００９】
【図１】組立てた状態の斜視図である。
【図２】側面図である。
【図３】組み立てた後にＵ字アーム部を拡げた状態の斜視図である。
【図４】図３と同じ状態の平面図である。
【図５】折畳み状態の斜視図である。
【図６】他の組み立て状態の斜視図である。
【図７】Ｕ字アーム部を拡開し、ペットボトルを挿し込んだ状態の斜視図である。
【発明を実施するための形態】
【００１０】
本発明を図示の実施例に基づいて詳細に説明する。
図１は組み立てた状態の物干し具１０の斜視図を示し、主としてアルミニウム、スチール、ステンレス等の金属製であって、例えば直径３ｍｍ程度の棒状体及び板状体から形成されている。物干し具１０は、矩形状をした基枠部２０と、この基枠部２０の第１の短辺部に回動自在に係合した矩形状の底枠部３０と、基枠部２０の第２の短辺部に回動自在に係合し複数のアーム部を有する物干部４０とから構成されている。
【００１１】
基枠部２０は２本の平行な長杆部２１と、これらの長杆部２１の端部近傍の表側には、長杆部２１間を溶接により連結し、第１の短辺部となる下軸杆部２２と、１対の長杆部２１の他端部同士をコ字状に屈曲して連結し、第２の短辺部となる上軸杆部２３とを有している。
【００１２】
下軸杆部２２よりも上側の近傍の長杆部２１の裏側には、下軸杆部２２と平行する下回動防止杆２４が溶接されており、上軸杆部２３よりも下側の近傍の長杆部２１の表側には、上軸杆部２３と平行する上回動防止杆２５が溶接されている。これらの上軸杆部２３、下軸杆部２２、下回動防止杆２４、上回動防止杆２５は、一対の長杆部２１間を掛け渡すように配置されている。
【００１３】
また、基枠部２０の両側の長杆部２１の下軸杆部２２側の突出部２６の先端には、合成樹脂等から成る滑止め部材２７が嵌着されている。なお、このような突出した突出部２６を設けずに、例えば下軸杆部２２を長杆部２１の下端部同士をコ字状に屈曲して連結したものであってもよく、この下軸杆部２２に滑止め部材を取り付けることもできる。
【００１４】
底枠部３０は、両側に平行し基枠部２０の長杆部２１内の間隙よりも狭い間隙で配置された一対の長杆部３１と、これらの長杆部３１に屈曲して連結した短杆部３２とによるコ字状とされている。それぞれの長杆部３１の開放された先端部は、基枠部２０の下軸杆部２２に巻回する巻回部３３とされ、底枠部３０はこの巻回部３３により下軸杆部２２を軸として回動可能とされている。また、巻回部３３の近傍であって、長杆部３１間に掛け渡す補強杆３４が設けられているが、この補強杆３４は底枠部３０を補強するために、必要に応じて設ければよい。
【００１５】
物干部４０は、平面板状で略矩形で幅を基枠部２０の長杆部２１同士の間隙よりも狭くしたアーム取付板４１と、一端をこのアーム取付板４１の両側部に溶接し、他端を上軸杆部２３に巻回して巻回部４２に連続する一対の係合杆部４３と、アーム取付板４１上の両側部に取り付けられた一対の回動アーム部４４と、アーム取付板４１の中央部に取り付けられた１個の固定アーム部４５とから構成されている。なお、巻回部４２及び前述の巻回部３３は棒状体を丸めて軸部に巻回しているが、他の手段により軸部に係止した係止回動部とすることもできる。
【００１６】
アーム取付板４１の両側は低段部４６とされており、これらの低段部４６と中央の高段部との間には段差壁部４７が形成されている。回動アーム部４４においては、矩形の一角を斜め方向に切り欠いた切欠部４８を有する例えば五角形状の板状体の回動板部４９が、ボルト、ナット等による軸止部５０によって低段部４６上に回動自在に取り付けられている。左右の低段部４６に設けた一対の回動板部４９は左右対称形であり、切欠部４８同士が向かい合うように内側に配置され、切欠部４８が段差壁部４７の近傍になるように配置されている。
【００１７】
そして、回動アーム部４４は棒状体をＵ字状に曲折して形成されたＵ字アーム部５１を有し、その２本の基部が回動板部４９に取り付けられている。更に、アーム取付板４１の低段部４６間の高段部には同様のＵ字アーム部５１を有する固定アーム部４５の２本の基部が固定されている。また、回動アーム部４４、固定アーム部４５のＵ字アーム部５１の先端部５２は、稍々上向けに折曲されている。
【００１８】
なお、本実施例では、回動板部４９は五角形状としているが、角を斜め方向に切り欠いた切欠部４８を備えれば、他の適宜の形状としても支障はない。
【００１９】
本実施例の物干し具１０では、アーム取付板４１上に２個の回動アーム部４４と１個の固定アーム部４５の計３個のアーム部を備えているが、固定アーム部４５は、アーム取付板４１の低段部４６間の高段部に回動不能に２個以上設けるようにしてもよい。
【００２０】
また、回動アーム部４４及び固定アーム部４５は、先端部で曲折したＵ字状としたが、Ｕ字状でなく特許文献１の物干し具に開示されているように直線状の棒体であってもよい。ただし、回動アーム部４４のＵ字アーム部５１を拡開したほうが、布巾等を掛けた場合に、折り返して対向する布巾同士に間隙が生じて接触しないため乾き易くなる。
【００２１】
この物干し具１０を側面から見ると、図２に示すように底枠部３０、基枠部２０、物干部４０は側面から見てＺ字状となり、回動アーム部４４及び固定アーム部４５は、底枠部３０とほぼ平行な水平状態となる。
【００２２】
使用に際しては、両側の回動アーム部４４を平行状態から、図３、図４に示すように外側方向に回動させて、切欠部４８の斜辺が段差壁部４７に当接するまで、低段部４６上に軸止部５０により軸止した回動板部４９を回動させる。そして、切欠部４８の斜辺が段差壁部４７に当接すると、回動アーム部４４は段差壁部４７がストッパとなって、それ以上外側に回動することができなくなる。
【００２３】
このように、回動アーム部４４を外側に拡開した状態にすると、従来のアーム部が平行状態の物干し具に比べて布巾が掛け易くなり、布巾間に空間が生じ風通しが良くなる。また、Ｕ字アーム部５１の先端部は上方に折曲しているため、掛けた布巾はずり落ち難い。
【００２４】
物干し具１０を置くスペースが十分でないときは、回動アーム部４４のＵ字アーム部５１を拡開した状態にして布巾を掛けてから、図１に示す回動アーム部４４が平行の状態に戻して乾かすようにしてもよい。
【００２５】
図５はこの物干し具１０は折り畳んだ状態を示し、上から底枠部３０、物干部４０、基枠部２０の順に畳まれている。この状態から、図１、図２に示すように組み立てるには、基枠部２０の下軸杆部２２を軸として、底枠部３０を基枠部２０の下側に回動させる。底枠部３０の回動を続けると、一対の長杆部３１の巻回部３３の側が基枠部２０の下回動防止杆２４に当接し、図１、図２に示すように基枠部２０から４５度程度の角度で底枠部３０が回動不能に固定された状態となる。
【００２６】
次に、基枠部２０の上軸杆部２３を軸として、物干部４０を巻回部４２により基枠部２０の上側に折り返すように回動させる。この回動を続けると、物干部４０の係合杆部４３が基枠部２０の上回動防止杆２５に当接し、図１、図２に示すように基枠部２０に対し４５度程度の角度で、物干部４０が回動不能に固定された状態となる。このように組み立てると、物干部４０はほぼ水平方向に固定された状態となる。
【００２７】
不使用等により、この物干し具１０を折り畳む場合には、組み立ての逆の操作で作業を行うことで、図５の状態に戻すことができる。
【００２８】
このように本発明の物干し具１０は、使用時にＵ字アーム部５１間の間隙を拡開できるので、布巾等を掛け易くなると同時に、風通しも良くなり、乾燥し易くなる。また、不使用時にＵ字アーム部５１間の幅を狭めれば収納性も良くなる。
【００２９】
図６は他の組立状態の形態を示し、基枠部２０の上軸杆部２３を軸として、基枠部２０に対し物干部４０のみを折り返すように回動させている。このように組立てると、回動アーム部４４及び固定アーム部４５のＵ字アーム部５１は、４５度程度の角度で斜め上方に突出することになる。
【００３０】
この状態でも、上述のように回動アーム部４４は外側に拡開することが可能である。斜め上方へ突出するＵ字アーム部５１に、例えば逆さにしたペットボトル、牛乳パック、コップ等を差し込むことにより、内部の水分を除去することができる。
【００３１】
回動アーム部４４のＵ字アーム部５１が平行のままでは、固定アーム部４５のＵ字アーム部５１にペットボトルＰを挿し込んだ後に回動アーム部４４のＵ字アーム部５１にペットボトルＰを挿し込むと、隣接するペットボトルＰ同士が干渉し合うので、全ての回動アーム部４４、固定アーム部４５にペットボトルＰを差し込むことができなくなる。
【００３２】
これに対して、図７に示すように両側の回動アーム部４４のＵ字アーム部５１を外側に拡開することで、回動アーム部４４、固定アーム部４５のそれぞれにペットボトルＰを同時に差し込むことが可能となる。
【００３３】
更に、本発明では、側面Ｚ字状に組み立てる物干し具１０について説明したが、従来の様々な組立式物干し具のアーム部に本発明の回動アーム部を採用してもよい。
【符号の説明】
【００３４】
１０  物干し具
２０  基枠部
２２  下軸杆部
２３  上軸杆部
３０  底枠部
４０  物干部
４１  アーム取付板
４３  係合杆部
４４  可動アーム部
４５  固定アーム部
４６  低段部
４７  段差壁部
４８  切欠部
４９  回動板部
５１  Ｕ字アーム部
５２  先端部
【図１】
0006488115.tif 000002
【図２】
0006488115.tif 000003
【図３】
0006488115.tif 000004
【図４】
0006488115.tif 000005
【図５】
0006488115.tif 000006
【図６】
0006488115.tif 000007
【図７】
0006488115.tif 000008